(57)【要約】【課題】フロートの昇降運動，回動アームの回動運動を円滑且つ安定して行わせることができ、洗浄タンクへの給水性能，便器の洗浄性能を高性能に保持することのできるボールタップを提供する。【解決手段】給水栓と、フロート１８と、フロート１８に連動して回動運動し給水栓の弁体を開閉動作させる回動アームとを備えたボールタップにおいて、フロート１８から上向きに起立する形態で複数の支柱６６-１，６６-２をフロート１８に一体に形成し、そこにガイド部材６２を高さ調節可能に固定してガイド部材６２に対し、回動アーム先端部をスライド可能に連結して回動アームを回動運動させるようになす。【選択図】        図７
2005171668.tif 000002
【特許請求の範囲】
【請求項１】
（イ）洗浄タンク内に給水を行う給水栓と、（ロ）該洗浄タンク内の水位に連動して昇降するフロートと、（ハ）該フロートの昇降運動と連動して前記給水栓の弁体を開閉動作させる開閉駆動機構とを備えたボールタップにおいて、
前記フロートの動きを前記開閉駆動機構に伝える支柱を該フロートから上向きに起立する形態で立設し、且つ該支柱は該フロートに一体に形成するとともに、該支柱を該フロートから複数本起立させたことを特徴とするボールタップ。
【請求項２】
請求項１において、前記開閉駆動機構を、前記フロートの昇降運動と連動して回動運動する回動アームを含んで構成するとともに、前記支柱には該支柱とは別体を成すガイド部材を高さ調節可能に固定して、該ガイド部材に対し前記回動アームの先端部をスライド可能に連結して該回動アームの先端部のスライド運動により該回動アームを回動運動させるようになしてあることを特徴とするボールタップ。
【請求項３】
請求項１，２の何れかにおいて、前記フロートには上下方向に貫通孔が設けてあって、該貫通孔に前記給水栓からの水を前記洗浄タンク内に吐水する吐水管が挿通されており、該吐水管をガイドとして該フロートが昇降運動するようになしてあることを特徴とするボールタップ。
【請求項４】
請求項１〜３の何れかにおいて、前記複数の支柱は連結部にて互いに連結し一体化してあることを特徴とするボールタップ。
【請求項５】
請求項２において、前記ガイド部材を前記支柱に固定するためのロック部材が設けてあり、該ロック部材には係合ピンが、前記支柱には該係合ピンを嵌入させる係合孔が上下に複数段に設けてあって、該係合ピンを前記ガイド部材に形成した挿通孔を挿通して該係合孔に嵌入させることにより、該ガイド部材を通常の使用位置にロックするようになしてあり、且つ該係合孔は各段毎に複数設けられていて、該複数の係合孔に対し、対応する数で前記ロック部材に設けられた前記係合ピンが嵌入するようになしてあり、異なった段の係合孔に対し前記係合ピンを前記挿通孔を通じて嵌入させることにより、前記フロートの前記ガイド部材に対する相対的な高さ位置を調節可能となしてあることを特徴とするボールタップ。
【発明の詳細な説明】
【技術分野】
【０００１】
この発明は、便器を洗浄するための水を貯える洗浄タンク内に自動的に給水を行うボールタップに関し、詳しくはフロートの昇降運動と連動して給水栓の弁体を開閉動作させる開閉駆動機構を備えたボールタップに関する。
【背景技術】
【０００２】
従来より便器の洗浄装置として、洗浄タンク内に給水を行う給水栓と、洗浄タンク内の水位に連動して昇降するフロートと、フロートの昇降運動と連動して給水栓の弁体を開閉動作させる開閉駆動機構、例えばフロートの昇降運動と連動して回動運動する回動アームを含む開閉駆動機構とを備え、洗浄タンク内の水位をフロートで検知して常時洗浄タンク内を満水状態に保つボールタップが広く使用されている。
【０００３】
図１３はこの種ボールタップの従来の一例を示している。
同図において２００は洗浄タンクで、２０２は洗浄タンク２００内に給水を行う給水栓、２０４は洗浄タンク２００内で下向きに延びて、給水栓２０２からの水を洗浄タンク２００内に吐水する吐水管である。
【０００４】
２０６は吐水管２０４の側方に配置されたフロートで、このフロート２０６からは連結アーム２０８が水平向きに延び出しており、その連結アーム２０８の先端部において、吐水管２０４に沿って昇降ガイドされるガイドリング２１０に対し軸２１２周りに回動可能に連結されている。
２１４はフロート２０６の昇降運動に連動して給水栓２０２の弁体を開閉動作させる回動アームで先端部がフロート２０６に、また基端部が給水栓２０２の本体にそれぞれ回動可能に連結されている。
【０００５】
この図１３に示すボールタップでは、洗浄タンク２００内の水が排出されて水位が低下するとフロート２０６が下降運動し、これに伴って回動アーム２１４が基端側を中心として図中時計方向に回動運動して、給水栓２０２の弁体を開弁動作させる。
ここにおいて給水栓２０２が開放状態となって、外部の給水配管からの水が吐水管２０４を通じて洗浄タンク２００内に給水される。
【０００６】
これに伴って水位が上昇すると、これに連動してフロート２０６が上昇運動し、今度は回動アーム２１４が図中反時計方向に回動運動する。
これにより弁体が閉弁動作して給水栓２０２が閉じられ、吐水管２０４からの吐水が停止する。
【０００７】
しかしながらこの図１３に示す従来のボールタップの場合、フロート２０６が吐水管２０４の側方に配置されていることから、フロート２０６及び回動アーム２１４の取付け及びそれらの運動空間確保のために、洗浄タンク２００内に広いスペースを必要とする問題がある。
近年洗浄タンク２００のコンパクト化が求められており、これに対してこの種形態のボールタップでは洗浄タンク２００のコンパクト化が困難である。
【０００８】
これに対して下記特許文献１には、吐水管がフロートを上下に貫通するようにしてフロートを設け、かかる吐水管をガイドとしてフロートを昇降運動させるようになした点が開示されている。
図１４はその具体例を示している。
【０００９】
図示のボールタップでは、吐水管２０４がフロート２０６を貫通して延びており、フロート２０６はこの吐水管２０４をガイドとして昇降運動する。
２１６はフロート２０６を挿通して設けられたシャフトで、その上端部に回動アーム２１８の先端部が軸２２０周りに回動可能に連結されている。
回動アーム２１８の基端部は給水栓２０２の本体に取り付けられ、その取付部を中心として図中上下に回動運動するようになっている。
【００１０】
この図１４に示すボールタップの場合、フロート２０６の上昇時にフロート２０６をシャフト２１６の雄ねじ２２２に螺合したねじリング２２４に当接させる。ここでねじリング２２４はシャフト２１６に対するフロート２０６の相対的な高さ位置を調節するためのものである。
即ちねじリング２２４の螺合位置をシャフト２１６に沿って上側または下側にずらすことで、フロート２０６の高さ位置を調節することができる。
【００１１】
さてフロート２０６が上昇してねじリング２２４に当接すると、その浮力によってシャフト２１６がともに上昇し、回動アーム２１８を回動運動（図中時計方向の回動運動）させ、給水栓２０２における弁体を開弁動作させる。
また一方フロート２０６が下降することでアーム２１８が上記とは逆向き（図中反時計方向）に回動運動し、給水栓２０２の弁体を開弁動作させる。
【００１２】
図から明らかなようにこのボールタップの場合、フロート２０６及び回動アーム２１８のために洗浄タンク２００内で広いスペースを必要とせず、従って洗浄タンク２００をコンパクトに構成することが可能である。
【００１３】
しかしながらこの図１４に示すボールタップの場合、フロート２０６の昇降運動を円滑且つ安定した回動アーム２１８の回動運動に変換することが難しく、ひいては給水栓２０２における弁体の円滑な開閉動作即ち洗浄タンクへの安定した給水性能を確保することが難しく、便器の洗浄不良を生ぜしめる恐れがある難点がある。
【００１４】
そこでフロートから上向きに起立する形態で支柱を設けて、その支柱に支柱とは別体をなすガイド部材を高さ調節可能に固定し、ガイド部材に対して回動アームの先端部をスライド可能に連結して、回動アーム先端部のスライド運動により回動アームを回動運動させるようになすことが考えられる。
【００１５】
このようにすることで、フロートの昇降運動により回動アームをより安定して回動運動させることが可能となる。
この支柱をフロートに立設する手段として、フロートとは別体を成す１本の支柱部材を連結クリップでフロートに連結することが考えられているが、この場合、支柱部材と連結クリップとがフロートとは別部品として必要となり、ボールタップの構成部品点数が多くなるとともに、連結クリップによる支柱部材のフロートへの連結個所が１箇所であることから、回動アームから支柱に力が加わると、その連結箇所を支点として支柱が回動アームの回転方向に傾いたりガタツキを発生させてしまい、これによりフロートの動き或いは回動アームの回動運動が不安定となって給水性能、止水性能、更には便器の洗浄性能が低下する問題を生ずる。
以上開閉駆動機構が回動アームを含むものについて述べたが、この種の問題はフロートの昇降運動を支柱を介して開閉駆動機構に伝達し、給水栓の弁体を開閉駆動するその他一般のボールタップにおいても同様に生じ得る。
【００１６】
【特許文献１】特開平５−４４２３９号公報
【発明の開示】
【発明が解決しようとする課題】
【００１７】
本発明は以上のような事情を背景とし、フロートの昇降運動，開閉駆動機構の動作を円滑且つ安定して行わせることができ、洗浄タンク内への吐水性能，便器の洗浄性能を高性能に保持することのできるボールタップを提供することを目的としてなされたものである。
【課題を解決するための手段】
【００１８】
而して請求項１のものは、（イ）洗浄タンク内に給水を行う給水栓と、（ロ）該洗浄タンク内の水位に連動して昇降するフロートと、（ハ）該フロートの昇降運動と連動して前記給水栓の弁体を開閉動作させる開閉駆動機構とを備えたボールタップにおいて、前記フロートの動きを前記開閉駆動機構に伝える支柱を該フロートから上向きに起立する形態で立設し、且つ該支柱は該フロートに一体に形成するとともに、該支柱を該フロートから複数本起立させたことを特徴とする。
【００１９】
請求項２のものは、請求項１において、前記開閉駆動機構を、前記フロートの昇降運動と連動して回動運動する回動アームを含んで構成するとともに、前記支柱には該支柱とは別体を成すガイド部材を高さ調節可能に固定して、該ガイド部材に対し前記回動アームの先端部をスライド可能に連結して該回動アームの先端部のスライド運動により該回動アームを回動運動させるようになしてあることを特徴とする。
【００２０】
請求項３のものは、請求項１，２の何れかにおいて、前記フロートには上下方向に貫通孔が設けてあって、該貫通孔に前記給水栓からの水を前記洗浄タンク内に吐水する吐水管が挿通されており、該吐水管をガイドとして該フロートが昇降運動するようになしてあることを特徴とする。
【００２１】
請求項４のものは、請求項１〜３の何れかにおいて、前記複数の支柱は連結部にて互いに連結し一体化してあることを特徴とする。
【００２２】
請求項５のものは、請求項２において、前記ガイド部材を前記支柱に固定するためのロック部材が設けてあり、該ロック部材には係合ピンが、前記支柱には該係合ピンを嵌入させる係合孔が上下に複数段に設けてあって、該係合ピンを前記ガイド部材に形成した挿通孔を挿通して該係合孔に嵌入させることにより、該ガイド部材を通常の使用位置にロックするようになしてあり、且つ該係合孔は各段毎に複数設けられていて、該複数の係合孔に対し、対応する数で前記ロック部材に設けられた前記係合ピンが嵌入するようになしてあり、異なった段の係合孔に対し前記係合ピンを前記挿通孔を通じて嵌入させることにより、前記フロートの前記ガイド部材に対する相対的な高さ位置を調節可能となしてあることを特徴とする。
【発明の作用・効果】
【００２３】
以上のように本発明は、フロートに支柱を一体に形成するとともに、その支柱をフロートから複数本起立させるようになしたもので、本発明によれば、支柱がフロートに一体に形成されていることから、フロートとは別部品として支柱部材やその支柱部材をフロートに連結するための連結クリップ等を必要とせず、ボールタップの構成部品点数を少なくし得て、コスト低減及び組立工数を少なくすることができる。
【００２４】
また支柱がそのフロートに一体に形成してあるため、フロートに対して支柱が傾いたりガタツキを発生させたりすることがなく、従ってその支柱による開閉駆動機構の支持を安定して行うことができ、ひいては開閉駆動機構の動作を円滑に行わせることが可能となる。
【００２５】
加えて本発明ではその支柱がフロートから複数本起立させてあって、それら複数本の支柱により開閉駆動機構を支持することから、１本の支柱にて開閉駆動機構を支持する場合に較べて開閉駆動機構の動作を安定して行わせることができる。ひいては洗浄タンクへの給水性能，便器の洗浄性能を従来に増して安定したものとなすことができる。
【００２６】
次に請求項２は上記開閉駆動機構をフロートの昇降運動と連動して回動運動する回動アームを含んで構成し、そして支柱に固定したガイド部材により回動アーム先端部をスライド移動案内し、回動アームを回動運動させるようになしたもので、この請求項２によれば回動アーム先端部のスライド移動案内、ひいては回動アームの回動案内を円滑且つ安定して行うことができる。
【００２７】
本発明のボールタップでは、回動アームの回動案内をなすガイド部材を支柱とは別体に構成して、これを支柱に対し高さ調節可能に固定するようになしており、従って本発明のボールタップにおいては、そのガイド部材の支柱に対する固定位置を上下に高さ調節することで、回動アーム先端部に対するフロートの相対的な高さ位置を容易に調節することができる。
【００２８】
しかもガイド部材を支柱とは別体に構成しているにも拘わらず、支柱がフロートに一体に且つ複数本設けてあることから、かかる支柱によりガイド部材を強固且つ安定的に支持することができ、ガイド部材による回動アームの回動案内を良好且つ安定的に行わせることができる。
【００２９】
本発明は、場合によって吐水管がフロートを貫通していない形式のボールタップに適用することも可能であるが、特に、吐水管がフロートを貫通し、この吐水管をガイドとしてフロートが昇降運動する形式のボールタップに適用して好適なものである（請求項３）。
【００３０】
請求項４は、上記複数の支柱を連結部にて互いに連結し一体化したもので、このようにすれば、支柱の剛性が高剛性となって支柱によるガイド部材の支持がより安定化する。
【００３１】
請求項５は、ガイド部材を支柱に固定するためのロック部材を設け、そしてロック部材に設けた係合ピンを、支柱に上下に複数段に設けた係合孔に嵌入させることで、ガイド部材を支柱に固定状態にロックするようになしたもので、このようにすれば、ロック部材によるロック或いはロック解除によって、支柱へのガイド部材の固定位置を支柱に沿って容易に変更し得、フロートの相対的な高さ位置を容易に調節することができる。
【００３２】
この請求項５ではまた、上下に複数段に設けた係合孔を各段毎において複数設ける一方、対応するロック部材の側の係合ピンを対応する数で設けて、各段毎に係合孔と係合ピンとを複数個所で嵌合し、ガイド部材を固定するようになしたもので、これにより支柱に対するガイド部材の固定をより強固に且つガタツキなく行うことが可能となる。
【発明を実施するための最良の形態】
【００３３】
次に本発明の実施形態を図面に基づいて以下に詳しく説明する。
図１〜図４において、１０は本実施形態のボールタップにおける給水栓で、この給水栓１０からの水を洗浄タンク内部に吐水する吐水管１２が、給水栓１０の本体１４から下向きに延び出している。
ここで吐水管１２には、その外面に沿って縦リブ１６が設けられている。
【００３４】
１８は洗浄タンク内部の水位に連動して昇降運動するフロートで、上下方向の貫通孔２０が設けられており、その貫通孔２０に吐水管１２が摺動可能に挿通されている。
本実施形態において、フロート１８はこの吐水管１２をガイドとして昇降運動する。
【００３５】
上記給水栓１０は、本体１４内部においてゴム製のダイヤフラムからなる弁体２２（図２，図４参照）を備えており、この弁体２２が、図４及び図５に示しているように弁座２４に対し図中左向きに押し付けられることによって、給水栓１０内部の水路２６が遮断され、また弁体２２が図中右向きに引張られて、図６に示しているように弁座２４から離間することで水路２６が開放される。
このとき、水路２６の水が給水栓１０を経て吐水管１２へと流れ込み、その吐水管１２から洗浄タンク内部に吐水される。
【００３６】
給水栓１０の本体１４は、図２及び図４に示しているように第１部材２８-１と第２部材２８-２との２分割構成とされていて、それら第１部材２８-１と第２部材２８-２とによって上記弁体２２が挟持されている。
【００３７】
図２に示しているように、第１部材２８-１の図中右端部には円形の内嵌部３０が設けられている。
一方第２部材２８-２の図中左端部には外嵌部３２が設けられており、第１部材２８-１と第２部材２８-２とが、内嵌部３０に対して外嵌部３２が外嵌した状態で互いに接続されている。
その接続構造は次のようなものとされている。
【００３８】
即ち、内嵌部３０の外周面には周方向に沿って延びる接続溝３４と、挿入開口３６とが設けられており、また外嵌部３２にはその内周面に、内嵌部３０の挿入開口３６を通過し且つ接続溝３４に係入する接続突起３８が設けられており、その接続突起３８を挿入開口３６を通じて挿入した上、外嵌部３２の回転により接続突起３８を接続溝３４に係入させることによって、それら内嵌部３０と外嵌部３２とが接続される。
【００３９】
第２部材２８-２には、図中右向きに延び出す固定アーム４０が設けられている。
この固定アーム４０は、横断面形状がコ字形状をなしていて、その内部に収納凹部４２が形成されており、そこに弁体２２を図中左右方向に押し引きする作用ロッド４４が収納されている。
【００４０】
固定アーム４０の先端部からは、回動アーム４６が図中左側の内向きに、即ち吐水管１２に向かって斜め下向きに延び出している。
この回動アーム４６の基端部には、図３に示しているように回動アーム４６の回動用の一対の軸（回動軸）４８が設けられており、それら一対の軸４８のそれぞれが、固定アーム４０の先端部に設けられた軸孔５０に回動可能に嵌合されている。
【００４１】
尚、固定アーム４０の先端部には軸孔５０へと到る切欠き５２が設けられており、回動アーム４６の一対の軸４８は、これら切欠き５２を通じて軸孔５０に嵌め込まれる。
この回動アーム４６にはまた、軸４８から下側に偏心した位置に、上記の作用ロッド４４との連結用の軸５４が設けられており、この軸５４に対して作用ロッド４４の図中右端部が相対回転可能に連結されている。
【００４２】
図３に示しているように、回動アーム４６は一対の側板５６を有していて、それらが連結部５８にて互いに連結され一体化されている。
これら一対の側板５６の先端部には、後述のスライド溝６４に嵌合されてスライド案内される、断面円形の被ガイド突起（被ガイド部）６０が内向きに突設されている。
【００４３】
図２，図４及び図５に示しているようにフロート１８の上面には、フロート１８とは別体をなすガイド部材６２が固定されている。
ガイド部材６２の上端部には、図７及び図８にも示しているように図中左右方向（図８（Ｂ）では紙面と交叉する方向）且つ略水平方向に延びる一対のスライド溝（スライドガイド部）６４が互いに平行に設けられている。
【００４４】
ここで一対のスライド溝６４は、平面形状において図中左右方向、即ち回動アーム４６先端部の横動方向に直線状をなしている。
更にまたこれらスライド溝６４は、図８（Ａ）中左方向に斜め下向き（ここでは角度αをなす向き）に傾斜させられている。
【００４５】
そしてこれらスライド溝６４の内部に、上記回動アーム４６先端部の一対の被ガイド突起６０（図３参照）が、図中左右方向且つ略水平方向に、即ち回動アーム４６先端部の横動方向に摺動可能に嵌合されている。
ここで一対のスライド溝６４は図中左端、即ち回動アーム４６先端部の前進側の端が開放形状とされている。
上記回動アーム４６先端部は、このスライド溝６４とこれに嵌合する被ガイド突起６０との案内作用に基づいて、スライド溝６４の延びる方向にスライド運動する。
【００４６】
図７に示しているように、フロート１８にはその上面から起立する一対の支柱、即ち幅の広い支柱６６-１と、相対的に幅の狭い支柱６６-２とが一体に形成されている。
これら支柱６６-１と支柱６６-２とは、その上端部で連結部６８により連結されて互いに一体化されている。
これら支柱６６-１と支柱６６-２と連結部６８とは全体として門形をなしており、それらの間に空所６９を形成している。
【００４７】
これら支柱６６-１と支柱６６-２とのそれぞれには、左右方向に延びる位置決め溝７０が、上下に所定ピッチで複数段に形成されており、更にそれら位置決め溝７０と７０との間において、各支柱６６-１，６６-２を貫通する係合孔７２が複数段に形成されている。
【００４８】
上記ガイド部材６２は、その略全体が下端面で開放した形状の略箱状をなしている。
このガイド部材６２は、図８及び図９に示しているように一対の側壁７４が、上記の支柱６６-１，６６-２に対して嵌り合っており、またその各内面には爪７６（図８（Ｂ）参照）が設けられていて、この爪７６が支柱６６-１，支柱６６-２のそれぞれの位置決め溝７０に弾性的に嵌り込んで、ガイド部材６２の上下方向の位置決め及び図８（Ａ）中左右方向（回動アーム４６先端部の前進，後退方向）の移動案内をなすようになっている。
【００４９】
図８（Ａ）に示しているように、ガイド部材６２における一対の側壁７４のそれぞれには円形の挿通孔７８と略四角形状の挿通凹部８０とが各側壁７４を貫通する形態で設けられている。
ここで一対の挿通孔７８は、図８（Ｂ）に示しているように爪７６と位置決め溝７０とが嵌り合って位置決めをなした状態で、支柱６６-１，支柱６６-２に上下複数段に形成した円形の係合孔７２のうち、何れかの段の係合孔７２に合致する位置に設けられている。
【００５０】
本実施形態において、ガイド部材６２は一対の側壁７４を支柱６６-１及び支柱６６-２に嵌合させた状態で、それら支柱６６-１，６６-２に固定され保持される。
図８（Ｂ）及び図９は、そのようにしてガイド部材６２が支柱６６-１，６６-２に外嵌状態に固定された状態を示している。
【００５１】
但し図９（Ａ）に示しているように、ガイド部材６２は支柱６６-１，６６-２に対して図９（Ａ）中上下方向（図７，図８（Ａ）中左右方向）に所定距離移動可能とされている。
但し通常の使用時には、図７に示すロック部材８２によって図９（Ａ）に示す使用位置にロックされた状態にある。
【００５２】
ロック部材８２は図７及び図８（Ｃ）に示しているように一対の係合ピン８３を有しており、更にそれらの間において、一対の弾性片８４を備えた抜止め用の弾性係合爪８６を有している。
更に背面側にはつまみ８８を有している。
【００５３】
このロック部材８２は、一対の係合ピン８３をガイド部材６２における側壁７４の挿通孔７８を通じて支柱６６-１，６６-２の係合孔７２に挿入し係合させることで、ガイド部材６２を支柱６６-１，６６-２に対して上下及び左右方向に位置決め状態にロックする。
尚このとき、ガイド部材６２は図９（Ａ）に示す通常使用位置に位置決めロックされる。
【００５４】
次に本実施形態のボールタップの作用を説明する。
図４及び図５は、洗浄タンク内の水位が満水状態にあってフロート１８が上昇位置にあり、給水栓１０における弁体２２が弁座２４に押し付けられた状態、即ち弁体２２が閉弁状態にあるときを示している。
この状態から洗浄タンク内の水が排出されて水位が下降すると、これに伴ってフロート１８が下降運動する。
このときフロート１８に固定されたガイド部材６２の上端部のスライド溝６４もまたフロート１８と一体に下降運動する。
【００５５】
そしてこのスライド溝６４の下降運動に伴って、回動アーム４６がその基端の軸４８の軸心周りに図中反時計方向に回動運動する。
即ちフロート１８の下降運動が、スライド溝６４とこれに摺動可能に嵌合する回動アーム４６側の被ガイド突起６０とを含む運動変換機構により、回動アーム４６の回動運動に運動変換され、回動アーム４６が基端の軸４８の軸心を中心として、反時計方向に回動運動させられる。
【００５６】
この運動変換は次のようにして行われる。
即ちスライド溝６４が下降運動すると、これに伴ってスライド溝６４に嵌合している回動アーム４６側の一対の被ガイド突起６０がスライド溝６４内部を図中右向きに摺動運動し、基端側が固定アーム４０に固定された回動アーム４６を、強制的に図中反時計方向に回動運動させる。
【００５７】
この回動アーム４６の反時計方向の回動運動に伴って、その基端部に連結された作用ロッド４４が、図４，図５及び図６中右向きに引張られ、これとともにその作用ロッド４４の図中左端部に固定保持された弁体２２が右向きに移動して、弁座２４から離間させられる。即ち弁体２２が開弁動作させられる。
ここにおいて水路２６が開放状態となって、水路２６内の水が給水栓１０を経て吐水管１２の下端から、洗浄タンク内部に吐水される。即ち洗浄タンク内部に給水が行われる。
【００５８】
このようにして給水が行われると、洗浄タンク内部の水位が次第に上昇し、そしてこれに連動してフロート１８が上昇運動する。
フロート１８が上昇運動すると、今度は回動アーム４６の一対の被ガイド突起６０が、ガイド部材６２におけるスライド溝６４の案内の下に図中左向きに前進移動させられ、これにより回動アーム４６が上記とは逆に図中時計方向に強制回動させられる。
【００５９】
すると今度は作用ロッド４４が図中左向きに押し出され、これにより弁体２２が弁座２４に押し付けられて、水路２６が閉鎖される。即ち弁体２２が閉弁動作させられて水路２６内の水が流通停止させられる。即ちここにおいて吐水管１２からの洗浄タンク内への給水が停止する。
【００６０】
上記のように本実施形態のボールタップにおいて、ガイド部材６２は通常、ロック部材８２のロック作用によって使用位置に保持されており、そのロック部材８２のロック作用によって、ガイド部材６２が良好に支柱６６-１，６６-２に固定状態に保持されて、回動アーム４６に対し良好なガイド作用、即ち回動案内作用をなす。
この通常の使用状態では、回動アーム４６の一対の被ガイド突起６０は、ガイド部材６２の一対のスライド溝６４から外れることは無く、回動始端から回動終端に到る範囲内で、スライド溝６４により良好に摺動案内される。
【００６１】
一方においてそれらスライド溝６４と被ガイド突起６０との嵌合を外す必要が生じたとき、具体的にはガイド部材６２と回動アーム４６との連結状態を解除する必要が生じたとき、ロック部材８２を外すことによって容易にその連結を解除することができる。
この解除操作は次のようにして行うことができる。
【００６２】
即ち、図１０に示しているように先ずロック部材８２を引張り操作して、一対の係合ピン８３を支柱６６-１，６６-２の係合孔７２から抜き出す（図１０（Ｉ）参照）。ここにおいてガイド部材６２に対するロックが解除される。
そこでガイド部材６２を、図９（Ａ）中下方向、図１０（II）中右方向、つまり回動アーム４６先端部の後退方向に横動して、スライド溝６４の前端位置を図１１（III）中右方（後方）に位置移動させる。
ここにおいてガイド部材６２が嵌合解除位置に到り、回動アーム４６の一対の被ガイド突起６０を、スライド溝６４の前端の開放部から外すことが可能となる。
【００６３】
このようにしてスライド溝６４に対する被ガイド突起６０の嵌合を外したら、次に回動アーム４６，作用ロッド４４及び固定アーム４０を含む給水栓１０の第２部材２８-２を回転させて、第１部材２８-１と第２部材２８-２との接続を解く（図１１（IV）参照）。
ここにおいて摩耗等により使用寿命に到り、或いは損傷したダイヤフラムからなる弁体２２を新たなものと取り換えることができる。
【００６４】
本実施形態のボールタップはまた、フロート１８の高さ調整も容易に行うことができる。
即ち、図１０（Ｉ）に示しているようにロック部材８２によるロックを解除した状態で、図１２に示しているようにガイド部材６２を支柱６６-１，６６-２に対して上下に位置をずらせ、その状態で再びロック部材８２によりガイド部材６２を支柱６６-１，６６-２に対し位置決め状態にロックすることで、ガイド部材６２の支柱６６-１，６６-２に対する上下の固定位置、つまりフロート１８の高さ位置を簡単に調節することができる。
【００６５】
以上のような本実施形態では、支柱６６-１，６６-２がフロート１８に一体に形成されていることから、フロート１８とは別部品として支柱部材やその支柱部材をフロートに連結するための連結クリップ等を必要とせず、ボールタップの構成部品点数を少なくし得て、コスト低減及び組立工数を少なくすることができる。
【００６６】
また支柱６６-１，６６-２がフロート１８に一体に形成してあるため、フロート１８に対して支柱６６-１，６６-２が傾いたりガタツキを発生させることがなく、支柱６６-１，６６-２によりガイド部材６２を介して回動アーム４６を良好に支持し、ガイド部材による回動アーム４６の回動案内を円滑且つ安定して行わせることができる。
【００６７】
加えて本実施形態では複数の支柱、即ち２本の支柱６６-１，６６-２を設けていることから、１本の支柱によりガイド部材を介して回動アーム４６を支持し且つ回動案内する場合に較べて、より安定して支持及び回動案内することができる。ひいては洗浄タンクへの給水性能，便器の洗浄性能を従来に増して安定したものとなすことができる。
【００６８】
更に本実施形態のボールタップによれば、ガイド部材６２の支柱６６-１，６６-２に対する固定位置を上下に高さ調節することで、フロート１８の相対的な高さ位置を容易に調節することができる。
【００６９】
また本実施形態では複数の支柱６６-１，６６-２を連結部６８にて互いに連結し一体化しているため、支柱６６-１，６６-２によるガイド部材６２の保持を安定化でき、支柱６６-１，６６-２に対してガイド部材６２がガタツキを生じるのを効果的に防止することができる。
【００７０】
本実施形態ではまた、上下に複数段に設けた係合孔７２を各段毎に複数設ける一方、対応するロック部材８２の側の係合ピン８３を対応する数で設けて、各段毎に係合孔７２と係合ピン８３との嵌合により複数個所でロック部材８２によりガイド部材の固定をなすようにしていることから、支柱６６-１，６６-２に対するガイド部材の固定を強固となすことができる。
【００７１】
以上本発明の実施形態を詳述したがこれはあくまで一例示であり、本発明はその趣旨を逸脱しない範囲において種々変更を加えた形態で構成可能である。
【図面の簡単な説明】
【００７２】
【図１】本発明の実施形態であるボールタップの全体斜視図である。
【図２】同実施形態のボールタップを各部材に分解して示す斜視図である。
【図３】同実施形態のボールタップの一部を分解して示す斜視図である。
【図４】同実施形態のボールタップの側面断面図である。
【図５】図４の一部を拡大して示す断面図である。
【図６】図５に示す部分の一作用状態を示す作用説明図である。
【図７】同実施形態のボールタップのガイド部材と周辺部を分解して示す斜視図である。
【図８】図７に示すガイド部材と支柱との固定構造を示す図である。
【図９】図７のスライド溝と図３の回動アームとの連結構造を示す図である。
【図１０】同実施形態の一作用説明図である。
【図１１】同実施形態の他の作用説明図である。
【図１２】同実施形態の更に他の作用説明図である。
【図１３】従来公知のボールタップの一例を示す図である。
【図１４】従来公知の図１３とは異なるボールタップの一例を示す図である。
【符号の説明】
【００７３】
１０  給水栓
１２  吐水管
１８  フロート
２０  貫通孔
２２  弁体
４６  回動アーム
６２  ガイド部材
６６-１，６６-２  支柱
６８  連結部
７２  係合孔
８２  ロック部材
８３  係合ピン
【図１】
2005171668.tif 000003
【図２】
2005171668.tif 000004
【図３】
2005171668.tif 000005
【図４】
2005171668.tif 000006
【図５】
2005171668.tif 000007
【図６】
2005171668.tif 000008
【図７】
2005171668.tif 000009
【図８】
2005171668.tif 000010
【図９】
2005171668.tif 000011
【図１０】
2005171668.tif 000012
【図１１】
2005171668.tif 000013
【図１２】
2005171668.tif 000014
【図１３】
2005171668.tif 000015
【図１４】
2005171668.tif 000016